(57)【要約】      （修正有）【課題】身体の可動域に制限がある人間が，身体的負荷を掛けず且つ完全に靴下を装着することを可能とする靴下装着補助具。【解決手段】底板２１と側板２２から構成され，側板を折りたたむことが出来る靴下装着部３とそれを支持する筐体２とを備えている。靴下装着部３は垂直方向に回転する。靴下装着部３を上方に回して折りたたみ，側板と底板に靴下履き口から靴下を覆い被せる。底板先端と靴下先端が触れ、履き口縁が腕部に触れるまで靴下を引き上げ、靴下を装着する。靴下装着部を下方に回し、腕部を側板に掛けることで靴下履き口を広げた状態を保持する。靴下を履くのと反対側の足で底板を踏みながら履き口に足を入れ、踏み抜くことで靴下を履くことができる。【選択図】図１
2017170087.tif 000002
【特許請求の範囲】
【請求項１】
靴下装着部を回動自在に支持する支持部材と、前記支持部材を支持する筺体とを備えた靴下装着補助具であって、
前記靴下装着部の底板先端部には凹状に切り欠きがされていることを特徴とする靴下装着補助具。
【請求項２】
靴下装着部は、回動域を制限されることを特徴とする請求項１記載の靴下装着補助具。
【請求項３】
靴下装着部が折りたためることを特徴とする請求項１又は２記載の靴下装着補助具。
【請求項４】
靴下装着部は、可撓性部材で構成されていることを特徴とする請求項１乃至３いずれか記載の靴下装着補助具。
【請求項５】
前記靴下装着部、前記支持部材及び前記筺体が別部材で構成され、組み立て可能であることを特徴とする請求項１乃至４いずれか記載の靴下装着補助具。
【発明の詳細な説明】
【技術分野】  本発明は，身体の可動域に制限がある人間を対象にした，靴下の装着補助具に関する発明である。
【背景技術】  今日，一人で靴下を装着するのが困難な高齢者，足腰に問題を抱えた方が増えている。その多くが靴下を装着する際，ヘルパー（介護士）の手を借りているのが現実である。その事実から一人暮らしをしている高齢者，足腰に問題を抱えた方は靴下を一人で装着することは困難であることが分かる。また靴下を装着するという行為に限らず，自身の行為を自己完結する欲求があることも調査により明らかとなっている。
【先行技術文献】
【特許文献】
【特許文献１】特開  ２０１０−２８４３２９
【発明の概要】
【発明が解決しようとする課題】  従来の下記箱型靴下装着補助具の構造では足を高く上げ，足首を大きく曲げる必要があり。また靴下装着時に腰を曲げる動作が多くなるという問題点が挙げられた。これは，従来の製品の円形状靴下保持具，支持部が作り出す形状，向きが人間工学的に適切でない，使用者の身体における可動域を超えていることが原因となっている。この問題点を解決するために，本発明では，身体の可動域に制限がある人間に，身体的負荷を掛けず且つ完全に靴下を装着することの解決を課題とする。
【課題を解決するための手段】  本発明による靴下装着補助具では靴下装着部を回動自在に支持する支持部材と，前記支持部材を支持する筺体とを備えた靴下装着補助具であって，前記靴下装着部の底板先端部には凹状に切り欠きが設けられていることを特徴とする。
また，靴下装着部は，回動域を制限されることを特徴とする。この回動域とは，靴下装着部への靴下装着位置から，使用者が靴下を装着する最終段階で靴下装着部から足を踏み抜くに至る位置までの回動範囲を指す。
また，靴下装着部は折りたたみ機能を有しており，可撓性部材で構成されていることを特徴とする。
また，折りたたみ機能を有した靴下装着部は可撓性部材で構成されており，その際の使用部材はポリ塩化ビニルであるが，これに限定されるものではない。
さらに，前記靴下装着部，前記支持部材が別部材で構成され，組み立て可能であることを特徴とする。
【発明の効果】  本発明は，靴下を踵から足首まで完全に装着させるという，靴下装着補助具に本来あるべき機能を有する。さらに，脚部の動きを最低限にすることによって，使用感の向上を図った高性能なものである。
【図面の簡単な説明】
【図１】靴下装着補助具の実施の形態における全体図である。
【図２】靴下装着補助具の実施の形態における分解図である。
【図３】靴下装着補助具の実施の形態における靴下の装着部の平面図である。（Ａ）は靴下装着部の足と接触する側の面（表面），（Ｂ）は靴下と接触する側の面（裏面）。
【図４】靴下装着補助具の実施の形態における装着部に靴下をセットする状態を表す全体図である。
【図５】靴下装着補助具の実施の形態における装着した靴下の穴に足を入れた際の断面図である。
【図６】靴下装着補助具の実施の形態における装着部から足を踏み抜く際の断面図である。
【図７】靴下装着補助具の実施の形態における装着部から足が抜け靴下が履けた際の断面図である。
【発明を実施するための形態】
【実施の形態】
まず，この発明の実施の形態に係る靴下装着補助具の構成について図面を参照しながら説明する。
図１に示された，靴下装着補助具１の全体図において，筐体下板２１の両側方には，側板２２をほぼ垂直に２枚支持固定した筺体があり，この筺体２の側板２２には支持部材２３が取り外し可能に回動自在あるいは回動不能に固定されている。この支持部材２３には，靴下装着部底板３１先端部に凹状切り欠き３３が設けられている。この靴下装着部３は，回動自在に固定されている。
図２の分解図に示されるように，筐体下板２１と筐体側板２２は，相互にかみ合うことで連結され筐体２を構成している。この連結は，例えば，筐体下板２１あるいは筐体側板２２の一方に凹部を設け、他方に凸部を設け相互に嵌合させている。本実施形態においては，カーテンレールとカーテンレールに装着されるコマのように前記凹部と前記凸部を形成し，組み立てやすく離れ難いもので分離可能に支持固定している。筐体側板２２には靴下装着部３を支持固定するための支持部材２３を通すための補助穴２４を設けている。本発明ではボルトとナットを用いて支持固定しているが，これに限定されるものではない。
図３は，靴下装着部３の平面図である。靴下装着部３は可撓性部材で構成されており，使用部材はポリ塩化ビニルであるが，これに限定されるものではない。靴下装着部３は靴下装着部底板３１と靴下装着部側板３２を蝶番や布のような折り曲げできる部材を用いて接合する。これにより靴下装着部底板３１と靴下装着部側板３２を折りたたむことができる。また接合部材において靴下が触れる側にシリコンや天然ゴムのような材質の滑り止め３６を貼ることで，接合部材が直接靴下に触れないようにすることが望ましい。また，足が直接触れる部分は足を滑りやすくするため，フェルトやコットンといった滑りやすい素材を靴下装着部底板３１と靴下装着部側板３２の足に接する面に貼ることが望ましい。
足が入るように靴下装着部側板３２は折り曲げられ，靴下装着部側板３２の両端に設けられた靴下装着部側板腕部３４は，Ｕ字状又はＬ字状に折り曲げられ，筺体２の側板２２に係合している。使用者が靴下を装着する最終段階で靴下装着部から足を踏み抜く位置において，前記Ｕ字状又はＬ字状に折り曲げられた靴下装着部側板腕部３４は筐体側板２２の端面に当接し，回動が制限される。
靴下装着部側板腕部３４をＵ字状に形成した場合には，Ｕ字状凹部が筐体側板２２と嵌合することにより靴下装着部３を開放状態に維持することが可能となる。
この靴下装着部３は，その基部に支持部材用筒３５が固定されており，支持部材２３に対して靴下装着部３は回動自在に支持される。ここで，靴下装着部３は筺体２に対して回動自在に支持されればよいのであって，支持部材２３を筺体２に対して回動自在に支持し，靴下装着部３の基部を直接支持部材に固定するようにしてもよいことは明らかである。
また，靴下装着部３の靴下装着部底板３１先端部には，凹状切り欠き３３が設けられており，使用者が靴下を装着して，最後に靴下装着補助具１から離脱する際に，足のかかとが抜けやすい形状となっている。
靴下装着補助具１が靴下４を装着する状態を表す全体図４において，予め靴下装着部３に図中破線で示す靴下４を凹状切り欠き３３の先端から装着しておく。本発明では図４のように靴下装着部３が回転するため，靴下４を装着し易い。
図５に示されるように，靴下装着部３に装着した靴下４の履き口に足を入れ，続いて，図６に示されるように，靴下装着部３に装着した靴下４を履いていき，最後に，図７に示されるように，凹状切り欠き３３から足が踏み抜けて，靴下４が足に装着される。
本発明の靴下装着補助具１は，以上の構造を有するものであるが，図２に示したように筺体２，支持部材２３，靴下装着部３を別部材とし，分解して運び，使用する場所で組み立てて使用してもよい。さらに，筺体２を側板２２，下板２３に分解組み立て可能に構成すると，持ち運ぶ際にかさばらず，利便性がさらに向上する。
【表１】
2017170087.tif 000003
表１に示すように，本発明の実施の形態によれば，靴下装着部底板３１先端部に凹状切り欠き３３が設けられていることにより，使用者が靴下を装着する最終段階で靴下装着部３から足を踏み抜く際に，かかとが凹部を通り抜けることによりスムーズに靴下を足首まで履くことができる。また，靴下装着部３の部材をポリ塩化ビニル等の可撓性部材で構成することで，靴下装着部３が足の動きに合わせてしなるため，靴下を装着し易い。さらに，使用者が靴下に足を挿入する開始時に靴下装着部底板３２が回動しないことで，靴下に足を入れやすく，靴下４が靴下装着部３と筐体下板２１の間に挟まれないので足５を靴下４の奥まで挿入することができる。
【符号の説明】１：靴下装着補助具，２：筐体，２１：筐体下板，２２：筐体側板，２３：支持部材，２４：補助穴，３：靴下装着部，３１：装着部底板，３２：装着部側板，３３：凹状切り欠き，３４：装着部側板腕部，３５：支持部材用筒，３６：滑り止め，４：靴下，５：足
【図１】
2017170087.tif 000004
【図２】
2017170087.tif 000005
【図３】
2017170087.tif 000006
【図４】
2017170087.tif 000007
【図５】
2017170087.tif 000008
【図６】
2017170087.tif 000009
【図７】
2017170087.tif 000010
【手続補正書】
【提出日】平成28年12月3日(2016.12.3)
【手続補正１】
【補正対象書類名】特許請求の範囲
【補正対象項目名】全文
【補正方法】変更
【補正の内容】
【特許請求の範囲】
【請求項１】
靴下装着部を回動自在に支持する支持部材と、前記支持部材を支持する筺体とを備えた靴下装着補助具であって、前記靴下装着部の基部が前記支持部材に回動自在に支持されると共に、  前記靴下装着部の底板先端部には凹状に切り欠きがされていることを特徴とする靴下装着補助具。
【請求項２】
靴下装着部は、回動域を制限されることを特徴とする請求項１記載の靴下装着補助具。
【請求項３】
靴下装着部が折りたためることを特徴とする請求項１又は２記載の靴下装着補助具。
【請求項４】
靴下装着部は、可撓性部材で構成されていることを特徴とする請求項１乃至３いずれか記載の靴下装着補助具。
【請求項５】
前記靴下装着部、前記支持部材及び前記筺体が別部材で構成され、組み立て可能であることを特徴とする請求項１乃至４いずれか記載の靴下装着補助具。
【手続補正２】
【補正対象書類名】明細書
【補正対象項目名】全文
【補正方法】変更
【補正の内容】
【発明の詳細な説明】
【技術分野】
【０００１】  本発明は，身体の可動域に制限がある人間を対象にした，靴下の装着補助具に関する発明である。
【背景技術】
【０００２】  今日，一人で靴下を装着するのが困難な高齢者，足腰に問題を抱えた方が増えている。その多くが靴下を装着する際，ヘルパー（介護士）の手を借りているのが現実である。その事実から一人暮らしをしている高齢者，足腰に問題を抱えた方は靴下を一人で装着することは困難であることが分かる。また靴下を装着するという行為に限らず，自身の行為を自己完結する欲求があることも調査により明らかとなっている。
【先行技術文献】
【特許文献】
【０００３】
【特許文献１】特開  ２０１０−２８４３２９
【発明の概要】
【発明が解決しようとする課題】
【０００４】  従来の下記箱型靴下装着補助具の構造では足を高く上げ，足首を大きく曲げる必要があり。また靴下装着時に腰を曲げる動作が多くなるという問題点が挙げられた。これは，従来の製品の円形状靴下保持具，支持部が作り出す形状，向きが人間工学的に適切でない，使用者の身体における可動域を超えていることが原因となっている。この問題点を解決するために，本発明では，身体の可動域に制限がある人間に，身体的負荷を掛けず且つ完全に靴下を装着することの解決を課題とする。
【課題を解決するための手段】
【０００５】  本発明による靴下装着補助具では靴下装着部を回動自在に支持する支持部材と，前記支持部材を支持する筺体とを備えた靴下装着補助具であって，前記靴下装着部の底板先端部には凹状に切り欠きが設けられていることを特徴とする。【０００６】  また，靴下装着部は，回動域を制限されることを特徴とする。この回動域とは，靴下装着部への靴下装着位置から，使用者が靴下を装着する最終段階で靴下装着部から足を踏み抜くに至る位置までの回動範囲を指す。【０００７】  また，靴下装着部は折りたたみ機能を有しており，可撓性部材で構成されていることを特徴とする。【０００８】  また，折りたたみ機能を有した靴下装着部は可撓性部材で構成されており，その際の使用部材はポリ塩化ビニルであるが，これに限定されるものではない。【０００９】  さらに，前記靴下装着部，前記支持部材が別部材で構成され，組み立て可能であることを特徴とする。
【発明の効果】
【００１０】  本発明は，靴下を踵から足首まで完全に装着させるという，靴下装着補助具に本来あるべき機能を有する。さらに，脚部の動きを最低限にすることによって，使用感の向上を図った高性能なものである。
【図面の簡単な説明】
【００１１】
【図１】靴下装着補助具の実施の形態における全体図である。
【図２】靴下装着補助具の実施の形態における分解図である。
【図３】靴下装着補助具の実施の形態における靴下の装着部の平面図である。（Ａ）は靴下装着部の足と接触する側の面（表面），（Ｂ）は靴下と接触する側の面（裏面）。
【図４】靴下装着補助具の実施の形態における装着部に靴下をセットする状態を表す全体図である。
【図５】靴下装着補助具の実施の形態における装着した靴下の穴に足を入れた際の断面図である。
【図６】靴下装着補助具の実施の形態における装着部から足を踏み抜く際の断面図である。
【図７】靴下装着補助具の実施の形態における装着部から足が抜け靴下が履けた際の断面図である。
【発明を実施するための形態】
【００１２】  まず，この発明の実施の形態に係る靴下装着補助具の構成について図面を参照しながら説明する。
【００１３】  図１に示された，靴下装着補助具１の全体図において，筐体下板２１の両側方には，側板２２をほぼ垂直に２枚支持固定した筺体があり，この筺体２の側板２２には支持部材２３が取り外し可能に回動自在あるいは回動不能に固定されている。この支持部材２３には，靴下装着部底板３１先端部に凹状切り欠き３３が設けられている。この靴下装着部３は，支持部材２３に回動自在に支持されている。
【００１４】  図２の分解図に示されるように，筐体下板２１と筐体側板２２は，相互にかみ合うことで連結され筐体２を構成している。この連結は，例えば，筐体下板２１あるいは筐体側板２２の一方に凹部を設け、他方に凸部を設け相互に嵌合させている。（図示せず。）本実施形態においては，カーテンレールとカーテンレールに装着されるコマのように前記凹部と前記凸部を形成し，組み立てやすく離れ難いもので分離可能に支持固定している。筐体側板２２には靴下装着部３を支持固定するための支持部材２３を通すための補助穴２４を設けている。本発明ではボルトとナットを用いて支持固定しているが，これに限定されるものではない。
【００１５】  図３は，靴下装着部３の平面図である。靴下装着部３は可撓性部材で構成されており，使用部材はポリ塩化ビニルであるが，これに限定されるものではない。靴下装着部３は靴下装着部底板３１と靴下装着部側板３２を蝶番や布のような折り曲げできる部材を用いて接合する。これにより靴下装着部底板３１と靴下装着部側板３２を折りたたむことができる。また接合部材において靴下が触れる側にシリコンや天然ゴムのような材質の滑り止め３６を貼ることで，接合部材が直接靴下に触れないようにすることが望ましい。また，足が直接触れる部分は足を滑りやすくするため，フェルトやコットンといった滑りやすい素材を靴下装着部底板３１と靴下装着部側板３２の足に接する面に貼ることが望ましい。
【００１６】  足が入るように靴下装着部側板３２は折り曲げられ，靴下装着部側板３２の両端に設けられた靴下装着部側板腕部３４は，Ｕ字状又はＬ字状に折り曲げられ，筺体２の側板２２に係合している。使用者が靴下を装着する最終段階で靴下装着部から足を踏み抜く位置において，前記Ｕ字状又はＬ字状に折り曲げられた靴下装着部側板腕部３４は筐体側板２２の端面に当接し，回動が制限される。（図１の状態。）
【００１７】  靴下装着部側板腕部３４をＵ字状に形成した場合には，Ｕ字状凹部が筐体側板２２と嵌合することにより靴下装着部３を開放状態に維持することが可能となる。
【００１８】  この靴下装着部３は，その基部に支持部材用筒３５が固定されており，支持部材２３に対して靴下装着部３は回動自在に支持される。ここで，靴下装着部３は筺体２に対して回動自在に支持されればよいのであって，支持部材２３を筺体２に対して回動自在に支持し，靴下装着部３の基部を直接支持部材に固定するようにしてもよいことは明らかである。
【００１９】  また，靴下装着部３の靴下装着部底板３１先端部には，凹状切り欠き３３が設けられており，使用者が靴下を装着して，最後に靴下装着補助具１から離脱する際に，足のかかとが抜けやすい形状となっている。
【００２０】  靴下装着補助具１が靴下４を装着する状態を表す全体図４において，予め靴下装着部３に図中破線で示す靴下４を凹状切り欠き３３の先端から装着しておく。本発明では図４のように靴下装着部３が回転するため，靴下４を装着し易い。
【００２１】次に図５に示されるように，靴下装着部３に装着した靴下４の履き口に足を入れ，続いて，図６に示されるように，靴下装着部３に装着した靴下４を履いていき，最後に，図７に示されるように，凹状切り欠き３３から足が踏み抜けて，靴下４が足に装着される。
【００２２】  本発明の靴下装着補助具１は，以上の構造を有するものであるが，図２に示したように筺体２，支持部材２３，靴下装着部３を別部材とし，分解して運び，使用する場所で組み立てて使用してもよい。さらに，筺体２を側板２２，下板２３に分解組み立て可能に構成すると，持ち運ぶ際にかさばらず，利便性がさらに向上する。
【００２３】
【表１】
2017170087.tif 000011
【００２４】  表１に示すように，本発明の実施の形態によれば，靴下装着部底板３１先端部に凹状切り欠き３３が設けられていることにより，使用者が靴下を装着する最終段階で靴下装着部３から足を踏み抜く際に，かかとが凹部を通り抜けることによりスムーズに靴下を足首まで履くことができる。また，靴下装着部３の部材をポリ塩化ビニル等の可撓性部材で構成することで，靴下装着部３が足の動きに合わせてしなるため，靴下を装着し易い。
【００２５】  さらに，使用者が靴下に足を挿入する開始時に靴下装着部底板３１が回動しないことで，靴下に足を入れやすく，靴下４が靴下装着部３と筐体下板２１の間に挟まれないので足５を靴下４の奥まで挿入することができる。
【符号の説明】
【００２６】１：靴下装着補助具２：筐体、２１：筐体下板，２２：筐体側板，２３：支持部材，２４：補助穴３：靴下装着部，３１：装着部底板，３２：装着部側板，３３：凹状切り欠き，３４：装着部側板腕部，３５：支持部材用筒，３６：滑り止め４：靴下５：足